(57)【要約】【課題】或る広告スポンサーによるキーワードの指定内容が不適切であった場合でも、当該広告スポンサーに関する広告が或る程度の数のＷｅｂページに掲載される環境を実現できる自動広告装置を、提供する。【解決手段】自動広告装置を、広告スポンサーが指定した広告対象キーワードの使用頻度が高い何人かのユーザに、当該広告対象キーワードが関係する文章を執筆することを勧めるメッセージを通知する（ステップＳ１０２，Ｓ１０３）ことが可能な装置として構成しておく。【選択図】図４
2006277317.tif 000002
【特許請求の範囲】
【請求項１】
掲載すべき広告の内容を示す内容指定情報と幾つかの広告対象キーワードとを含む，広告スポンサーによって指定された内容の広告対象情報を、複数種類の広告のそれぞれについて記憶可能な広告対象情報記憶手段と、
ユーザによりＷｅｂｌｏｇページ化すべき文章が入力されたときに、前記広告対象情報記憶手段に記憶されている情報を参照することにより、当該文章が示され，当該文章の内容に応じた種類の広告が示されるＷｅｂｌｏｇページをＷｅｂブラウザに表示させるためのＨＴＭＬデータを生成するデータ生成手段と、
前記データ生成手段によって生成された各ＨＴＭＬデータをユーザ別に管理する管理手段と、
前記管理手段によって管理されている各Ｗｅｂｌｏｇページ用ＨＴＭＬデータで使用されている各種語句の使用頻度をユーザ別に調査して調査結果をユーザ別に記憶する使用頻度調査手段と、
前記広告対象情報記憶手段に新たな広告対象情報が記憶されたときに、前記使用頻度調査手段がユーザ別に記憶している調査結果を参照して，当該広告対象情報に含まれる広告対象キーワードの使用頻度が高い何人かのユーザを特定し、特定した各ユーザに、当該広告対象キーワードが関係する文章を執筆することを勧めるメッセージを通知するメッセージ通知手段と
を、備えることを特徴とする，語句の使用頻度に基づいた自動広告装置。
【請求項２】
前記メッセージ通知手段が、
特定した各ユーザに、前記広告対象キーワードが関係する文章を執筆することを勧める旨の文字情報が示されたＷｅｂページを提供することによって、前記メッセージを通知する手段である
ことを特徴とする請求項１記載の，語句の使用頻度に基づいた自動広告装置。
【請求項３】
前記メッセージ通知手段が、
特定した各ユーザに、前記広告対象キーワードが関係する文章を執筆することを勧めるための電子メールを送信することによって、前記メッセージを通知する手段である
ことを特徴とする請求項１記載の，語句の使用頻度に基づいた自動広告装置。
【発明の詳細な説明】
【技術分野】
【０００１】
本発明は、Ｗｅｂｌｏｇページに、そのＷｅｂｌｏｇページの語句の使用頻度に基づいて広告を自動的に掲載する自動広告装置に、関する。
【背景技術】
【０００２】
周知のように、近年、クリックにより報酬が発生する広告バナー（広告スポンサーサイトへリンクされた画像）をＷｅｂページに掲載することが盛んに行われるようになってきている。また、各種広告スポンサーに関する広告バナーの中から、自Ｗｅｂページの内容に応じた広告バナーを自動的に選択して自Ｗｅｂページに掲載するアフィリエイトプログラム（ＨＴＭＬデータに組み込まれるコード；例えば、非特許文献１参照）を提供している事業者も存在している。
【０００３】
上記のような機能を有するアフィリエイトプログラムを利用すれば、Ｗｅｂサイト（Ｗｅｂページ群）の管理者が、各Ｗｅｂページに掲載する広告バナーを選択する作業を行わなくても良いことになる。しかしながら、アフィリエイトプログラムは、基本的には、或る広告スポンサーが指定したキーワードが用いられているＷｅｂページに、その広告スポンサーに関する広告バナーを掲載するものとなっている。このため、アフィリエイトプログラムを利用した場合、或る広告スポンサーによるキーワードの指定内容が不適切であるが故に、当該広告スポンサーに関する広告が少数のＷｅｂページにしか掲載されないといったことが生じていた。
【０００４】
【非特許文献１】水野貴明  「Ｇｏｏｇｌｅの謎  アフィリエイト編」  株式会社  ソーテック  ２００４年８月２０日  Ｐ．１４２−１６２
【発明の開示】
【発明が解決しようとする課題】
【０００５】
そこで、本発明の課題は、或る広告スポンサーによるキーワードの指定内容が不適切であった場合でも、当該広告スポンサーに関する広告が或る程度の数のＷｅｂページに掲載される環境を実現できる自動広告装置を、提供することにある。
【課題を解決するための手段】
【０００６】
上記課題を解決するために、本発明の，語句の使用頻度に基づいた自動広告装置は、掲載すべき広告の内容を示す内容指定情報と幾つかの広告対象キーワードとを含む，広告スポンサーによって指定された内容の広告対象情報を、複数種類の広告のそれぞれについて記憶可能な広告対象情報記憶手段と、ユーザによりＷｅｂｌｏｇページ化すべき文章が入力されたときに、広告対象情報記憶手段に記憶されている情報を参照することにより、当該文章が示され，当該文章の内容に応じた種類の広告が示されるＷｅｂｌｏｇページをＷｅｂブラウザに表示させるためのＨＴＭＬデータを生成するデータ生成手段と、データ生成手段によって生成された各ＨＴＭＬデータをユーザ別に管理する管理手段と、管理手段によって管理されている各Ｗｅｂｌｏｇページ用ＨＴＭＬデータで使用されている各種語句の使用頻度をユーザ別に調査して調査結果をユーザ別に記憶する使用頻度調査手段と、広告対象情報記憶手段に新たな広告対象情報が記憶されたときに、使用頻度調査手段がユーザ別に記憶している調査結果を参照して，当該広告対象情報に含まれる広告対象キーワードの使用頻度が高い何人かのユーザを特定し、特定した各ユーザに、当該広告対象キーワードが関係する文章を執筆することを勧めるメッセージを通知するメッセージ通知手段とを、備える。
【０００７】
すなわち、本発明の自動広告装置は、広告スポンサーが指定した広告対象キーワードの使用頻度が高い何人かのユーザに、当該広告対象キーワードが関係する文章を執筆することを勧めるメッセージを通知することが可能な構成を、有する。このため、この自動広告装置を用いれば、或る広告スポンサーによるキーワードの指定内容が不適切であった場合（或る広告スポンサーが、通常の文章中では使用されないようなキーワードを指定した場合）でも、当該広告スポンサーに関する広告が或る程度の数のＷｅｂページに掲載される環境を実現できることになる。
【０００８】
なお、本発明の自動広告装置を、一台の装置として構成しておく必要はなく、例えば、本発明の自動広告装置を、データ生成手段及び管理手段としての機能を有する何台かの装置と、広告対象情報記憶手段，使用頻度調査手段及びメッセージ通知手段としての機能を有する装置とがネットワーク接続された装置（システム）としておいても良い。また、本発明の自動広告装置を実現する際には、使用頻度調査手段として、メッセージ通知手段と同期的に機能する手段や、メッセージ通知手段とは無関係に、周期的に機能する手段を採用することが出来る。
【０００９】
また、メッセージ通知手段を、特定した各ユーザに、広告対象キーワードが関係する文章を執筆することを勧める旨の文字情報が示されたＷｅｂページを提供することによって、メッセージを通知する手段としておくことや、特定した各ユーザに、広告対象キーワードが関係する文章を執筆することを勧めるための電子メールを送信することによって、メッセージを通知する手段としておくことが出来る。
【発明を実施するための最良の形態】
【００１０】
以下、本発明を実施するための最良の形態を、図面を参照して詳細に説明する。
【００１１】
図１に模式的に示してあるように、本発明の一実施形態に係る自動広告装置１０は、ユーザ情報データベース１１，広告情報データベース１２，個人属性データベース１３を備えた装置である。また、自動広告装置１０は、インターネットに接続されて使用される装置となっている。なお、本実施形態に係る自動広告装置１０は、比較的に高機能なコンピュータに，各種ファイル（プログラムファイル，データファイル）をインストールした装置であるため、自動広告装置１０のハードウェア構成の説明は省略することにする。
【００１２】
本実施形態に係る自動広告装置１０は、所定のユーザ登録手続を行った者（以下、ユーザと表記する）に、自身のコンピュータ５０（Ｗｅｂブラウザ）に対する操作により、Ｗｅｂｌｏｇを開設することや，開設したＷｅｂｌｏｇへ文章を追加することなどが可能な環境を提供するための装置である。ユーザ情報データベース１１は、ユーザ登録手続時に、自動広告装置１０がユーザから取得した各種情報（氏名，メールアドレス等）や、自動広告装置１０が決定したユーザＩＤ等を記憶しておくためのデータベースである。
【００１３】
広告情報データベース１２は、複数種類の広告のそれぞれについて、広告文と，広告スポンサーサイトのＵＲＬと，幾つかの広告対象キーワードとを含む広告対象情報を記憶したデータベースである。この広告情報データベース１２は、自動広告装置１０の運用者と広告スポンサーとの間で所定の契約が成立したときに、広告スポンサーが指定した内容の広告対象情報が追加されるデータベースとなっている。
【００１４】
そして、自動広告装置１０は、各ユーザが、自身のＷｅｂｌｏｇへ文章を追加した場合、当該文章から，この広告情報データベース１２に広告対象情報の要素として記憶されている広告対象キーワードを検索することにより、図２に示したようなＷｅｂｌｏｇページ，すなわち，広告対象キーワードが広告スポンサーへのリンクとなっており、当該リンク上にマウスポインタが移動した際に、広告スポンサーに関する広告文がポップアップ表示されるＷｅｂｌｏｇページをＷｅｂブラウザに表示させることが出来るＨＴＭＬデータを生成して内部に保存する装置となっている。
【００１５】
個人属性データベース１３は、図３に模式的に示してあるように、ユーザ別に、そのユーザのＷｅｂｌｏｇ（Ｗｅｂｌｏｇページ群）で用いられている各種語句の出現頻度を記憶しておくためのデータベースである。
【００１６】
自動広告装置１０は、この個人属性データベース１３の内容を更新する処理を、指定されている周期（例えば、１週間に１回）で繰り返す装置となっている。
【００１７】
さらに、自動広告装置１０は、広告情報データベース１２内の各広告対象情報に対して、定期的に（広告情報データベース１２に広告対象情報が追加されたときと、前回の推奨メッセージ通知処理の実行日から，指定日数が経過したときに）、図４に示した手順の推奨メッセージ通知処理を実行する装置となっている。
【００１８】
すなわち、自動広告装置１０は、広告情報データベース１２に広告対象情報が追加された際や、或る広告対象情報に対する前回の推奨メッセージ通知処理の実行日から指定日数が経過した際には、まず、ステップＳ１０１にて、属性情報データベース１３を参照することにより、推奨メッセージ通知処理の処理対象となった広告対象情報中の広告対象キーワード（以下、処理対象キーワードと表記する）の使用回数が多い所定人数のユーザを特定する処理(属性情報データベース１３に記憶されている，処理対象キーワードの使用回数の降順で、所定人数のユーザを特定する処理)を、行う。
【００１９】
次いで、自動広告装置１０は、特定した各ユーザの管理画面用のＨＴＭＬデータに、処理対象キーワードを用いた文章を書くことを勧めるためのメッセージを追加する処理(ステップＳ１０２)を行う。なお、本実施形態に係る自動広告装置１０が各ユーザに提供する管理画面は、図５に示した構成のＷｅｂページとなっている。
【００２０】
そして、自動広告装置１０は、ユーザ情報データベース１２を参照することにより特定した各ユーザのメールアドレスを把握し、各ユーザに対して、処理対象キーワードを用いた文章を書くことを勧めるためのＥメールを送信する処理(ステップＳ１０３)を行ってから、この推奨メッセージ通知処理を終了する。
【００２１】
以上、説明したように、本実施形態に係る自動広告装置１０は、広告スポンサーが指定した広告対象キーワードの使用頻度が高い何人かのユーザに、当該広告対象キーワードを用いた文章を執筆することを勧めるメッセージを通知する機能を有している。このため、この自動広告装置１０を用いれば、或る広告スポンサーによるキーワードの指定内容が不適切であった場合（或る広告スポンサーが、通常の文章中では使用されないようなキーワードを指定した場合）でも、当該広告スポンサーに関する広告が或る程度の数のＷｅｂページに掲載される環境を実現できることになる。
【００２２】
《変形形態》
上記した自動広告装置１０は、各種の変形を行うことが出来る。例えば、自動広告装置１０を、Ｗｅｂｌｏｇページ用のＨＴＭＬデータを作成，保存する機能を有する何台かの装置と，推奨メッセージ通知処理（図４）を行う装置とを，ネットワーク接続した装置（システム）に変形することが出来る。また、自動広告装置１０を、各広告対象情報に対する２回目以降の推奨メッセージ通知処理が自動的に開始されない（各広告対象情報に対する推奨メッセージ通知処理を開始させる際には、オペレータが指示する必要がある）装置に変形しておくことも出来る。
【００２３】
また、自動広告装置１０を、上記したようなリンク（図２）をＷｅｂｌｏｇページに設ける装置ではなく、Ｗｅｂｌｏｇページに広告バナーを掲載する装置に変形しても良いことなどは、当然のことである。
【図面の簡単な説明】
【００２４】
【図１】本発明の一実施形態に係る自動広告装置の構成，使用形態の説明図。
【図２】実施形態に係る自動広告装置が作成するＷｅｂｌｏｇページ用ＨＴＭＬデータの機能の説明図。
【図３】実施形態に係る自動広告装置が備える属性情報データベースの説明図。
【図４】実施形態に係る自動広告装置が実行する推奨メッセージ通知処理の流れ図。
【図５】実施形態に係る自動広告装置が各ユーザに提供する管理画面の説明図。
【符号の説明】
【００２５】
１０  自動広告装置
１１  ユーザ情報データベース
１２  広告情報データベース
１３  個人属性データベース
【図１】
2006277317.tif 000003
【図２】
2006277317.tif 000004
【図３】
2006277317.tif 000005
【図４】
2006277317.tif 000006
【図５】
2006277317.tif 000007